(57)【要約】【課題】コンパクトで比較的簡単な光学系としながら、圧平による眼圧値測定精度の確保とＺアライメント範囲の確保との両立を図ることができる非接触型眼圧計を提供すること。【解決手段】被検眼角膜Ｃに空気を吹き付け、その際の被検眼角膜Ｃの変形状態を反射する光量の変化として検出し、被検眼眼球の眼圧値を計測する非接触型眼圧計において、眼圧値を計測するために被検眼角膜Ｃを照明する光源と、計器と被検眼Ｅの距離を検出するために被検眼Ｅを照明する光源を共有する共有光源５０と、共有光源５０から被検眼Ｅへ向かう光路上に設定し、被検眼角膜Ｃを照明する光束を、横長の非円形状に規定する照明絞り５２（光束形状規定手段）と、を備えた。【選択図】図１
2009028287.tif 000002
【特許請求の範囲】
【請求項１】
被検眼角膜に空気を吹き付け、その際の被検眼角膜の変形状態を反射する光量の変化として検出し、被検眼眼球の眼圧値を計測する非接触型眼圧計において、
前記眼圧値を計測するために被検眼角膜を照明する光源と、計器と被検眼の距離を検出するために被検眼を照明する光源を共有する共有光源と、
前記共有光源から被検眼へ向かう光路上に設定し、被検眼角膜を照明する光束を、横長の非円形状に規定する光束形状規定手段と、
を備えたことを特徴とする非接触型眼圧計。
【請求項２】
請求項１に記載された非接触型眼圧計において、
前記光束形状規定手段は、被検眼角膜を照明する光束を、角膜照明のための円形状光束領域部と、該円形状光束領域部から両側へ延びる距離検出のためのスリット状光束領域部を併せ持つ形状に規定することを特徴とする非接触型眼圧計。
【請求項３】
請求項１または請求項２に記載された非接触型眼圧計において、
前記共有光源から被検眼角膜までの間に、コンデンサレンズ、照明絞り、ピンホール板、コリメータレンズを配置し、ピンホール板を通過した光束を、コリメータレンズにより平行光として被検眼角膜を照明するＺアライメント・圧平検出投影系を設け、
前記光束形状規定手段は、コンデンサレンズとピンホール板の間の位置であって、被検眼角膜とは略共役の位置に配置される前記照明絞りの絞り穴の形状により規定することを特徴とする非接触型眼圧計。
【請求項４】
請求項３に記載された非接触型眼圧計において、
前記照明絞りの絞り穴は、角膜照明のための円形状光束を作り出す中央位置の円形状穴部と、距離検出のためのスリット状光束を作り出す左右位置のスリット形状穴部を有し、
前記共有光源は、前記絞り穴の円形状穴部の中央位置に設定したことを特徴とする非接触型眼圧計。
【請求項５】
請求項１乃至請求項４の何れか１項に記載された非接触型眼圧計において、
前記被検眼角膜に対して斜め方向から角度を有して入射する光束を被検眼角膜で反射した後、レンズ系を介して受光するＺアライメント受光センサと圧平検出受光センサを有するＺアライメント・圧平検出受光系を設け、
前記光束形状規定手段は、被検眼角膜の計器に対する移動量と前記Ｚアライメント・圧平検出受光系で受光する光量の変化特性として、Ｚアライメントの検出が可能な光量下限値を光量しきい値と定義したとき、Ｚアライメント正規位置前後の狭い移動量範囲で光量しきい値より遙かに高い光量を示す台形状特性部と、Ｚアライメント正規位置前後の広い移動量範囲で光量しきい値より少し高い光量を示す台形状特性部との組み合わせ特性を得るように被検眼角膜を照明する光束形状を規定することを特徴とする非接触型眼圧計。
【請求項６】
請求項５に記載された非接触型眼圧計において、
前記Ｚアライメント受光センサは、スポット状の光の位置を検出する半導体位置検出素子によるＰＳＤセンサであることを特徴とする非接触型眼圧計。
【発明の詳細な説明】
【技術分野】
【０００１】
本発明は、被検眼角膜に空気を吹き付け、その際の被検眼角膜の変形状態を反射する光量の変化として検出し、被検眼眼球の眼圧値を計測する非接触型眼圧計に関する。
【背景技術】
【０００２】
従来、ノズルから空気を噴射して被検眼角膜を圧平し、角膜が一定の形状に変形したときのチャンバ内部の圧力から被検眼の眼圧値を測定する非接触型眼圧計（「非接触式眼圧計」、「非接触眼圧計」とも呼ばれる。）が多数知られている。
【０００３】
この非接触型眼圧計において、前眼部照明用光源、固視標用光源、ＸＹアライメント用光源、Ｚアライメント用光源、圧平検出用光源の５つの光源をそれぞれ独立に設定したものが知られている（例えば、特許文献１参照）。
【０００４】
また、非接触型眼圧計において、ＸＹアライメント用光源と圧平検出用光源として共有光源を用い、前眼部照明用光源、固視標用光源、ＸＹアライメント・圧平検出用光源、Ｚアライメント用光源の４つの光源をそれぞれ設定したものが知られている（例えば、特許文献２参照）。
【０００５】
ここで、「ＸＹアライメント」とは、被検眼角膜の計器に対する左右上下方向（ＸＹ軸による二次元座標系）の位置関係をいい、被検眼に対し正面から光を投影し、被検眼角膜による反射光を受光し、二次元センサ上の輝点の移動として検出される。
【０００６】
また、「Ｚアライメント」とは、被検眼角膜の計器に対する前後方向（Ｚ軸による一次元座標系）の位置関係をいい、被検眼に対し斜めから光を投影し、被検眼角膜による反射光を受光し、一次元センサの輝点の移動として検出される。
【０００７】
なお、「アライメント調整」とは、ＸＹアライメントとＺアライメントの検出に基づき、被検眼角膜の計器に対する左右上下方向と前後方向の位置関係を正規位置に調整することをいい、アライメント調整後、直ちにノズルからの空気を被検眼角膜に噴射して被検眼の眼圧値が測定される。
【特許文献１】特開２００２−１６５７６３号公報
【特許文献２】特開２００６−３３４４３５号公報
【発明の開示】
【発明が解決しようとする課題】
【０００８】
しかしながら、特許文献１に記載された非接触型眼圧計にあっては、５つの光源をそれぞれ独立に設定するものであるため、光源毎に設定される投影系による複雑な光学系となり、計器の大型化を招く、という問題があった。
【０００９】
また、特許文献２に記載された非接触型眼圧計にあっては、共有光源であるＸＹアライメント・圧平検出用光源からの光を円形光束として被検眼角膜に照射するが、円形光束による照明範囲であるため、圧平による眼圧値測定精度の確保とＸＹアライメント範囲の確保との両立を図ることができない、という問題があった。
【００１０】
すなわち、円形光束による照明範囲を広く拡大すると、ＸＹアライメントの範囲は広く得られるものの、圧平による眼圧値測定精度が低下する。逆に、円形光束による照明範囲を狭く制限すると、圧平による眼圧値測定精度は確保されるものの、ＸＹアライメントの範囲が狭くなる。特に、自動的にアライメント調整を行うオートアライメント眼圧計の場合、アライメント調整範囲をできる限り広くしたいという要求に応えられない。
【００１１】
本発明は、上記問題に着目してなされたもので、コンパクトで比較的簡単な光学系としながら、圧平による眼圧値測定精度の確保とＺアライメント範囲の確保との両立を図ることができる非接触型眼圧計を提供することを目的とする。
【課題を解決するための手段】
【００１２】
上記目的を達成するため、本発明では、被検眼角膜に空気を吹き付け、その際の被検眼角膜の変形状態を反射する光量の変化として検出し、被検眼眼球の眼圧値を計測する非接触型眼圧計において、
前記眼圧値を計測するために被検眼角膜を照明する光源と、計器と被検眼の距離を検出するために被検眼を照明する光源を共有する共有光源と、
前記共有光源から被検眼へ向かう光路上に設定し、被検眼角膜を照明する光束を、横長の非円形状に規定する光束形状規定手段と、
を備えたことを特徴とする。
【発明の効果】
【００１３】
よって、本発明の非接触型眼圧計にあっては、眼圧値を計測するために被検眼角膜を照明する光源（圧平検出用光源）と、計器と被検眼の距離（＝Ｚアライメント）を検出するために被検眼を照明する光源（Ｚアライメント用光源）を共有する共有光源とするため、光源を持つ投影系の数を減らすことができる。
加えて、共有光源から被検眼へ向かう光路上に設定した光束形状規定手段により、被検眼角膜を照明する光束が、横長の非円形状に規定されるため、例えば、横長のスリットと円形を組み合わせた形状とすると、円形部分の光束により照明範囲を狭く制限することで、圧平による眼圧値測定精度を確保できるし、スリット部分の光束により照明範囲を横方向に広く確保することで、Ｚアライメント範囲を確保できる。
すなわち、Ｚアライメントの投影系及び受光系において、被検眼角膜が前後方向（Ｚ方向）に移動した場合、被検眼角膜上の有効な照明範囲は、左右方向（Ｘ方向）に移動し、上下方向（Ｙ方向）には移動しない。言い換えると、Ｘ方向（＝横方向）にのみ照明範囲を拡大すれば、Ｚアライメントの調整範囲は拡大することによる。
この結果、コンパクトで比較的簡単な光学系としながら、圧平による眼圧値測定精度の確保とＺアライメント範囲の確保との両立を図ることができる。
【発明を実施するための最良の形態】
【００１４】
以下、本発明の非接触型眼圧計を実現する最良の形態を、図面に示す実施例１に基づいて説明する。
【実施例１】
【００１５】
まず、構成を説明する。
図１は実施例１の非接触型眼圧計の光学系を示す平面配置図である。図２は実施例１の非接触型眼圧計の光学系を示す側面配置図である。
【００１６】
実施例１の非接触型眼圧計は、図１及び図２に示すように、ノズルから空気を噴射して被検眼角膜Ｃを圧平する圧縮空気噴射構造１を備えると共に、光学系として、前眼部観察系２と、ＸＹアライメント・固視標投影系３と、ＸＹアライメント受光系４と、Ｚアライメント・圧平検出投影系５と、Ｚアライメント・圧平検出受光系６と、を備えている。以下、各構成要素について説明する。
【００１７】
［圧縮空気噴射構造］
前記圧縮空気噴射構造１は、図１及び図２に示すように、チャンバ１０と、ノズル１１と、前眼部窓ガラス１２と、チャンバ窓ガラス１３と、シリンダ１４と、ピストン１５と、チャンバ内圧センサ１６と、を有して構成される。
すなわち、図外のソレノイドにより駆動されるピストン１５によりシリンダ１４内で圧縮された空気は、チャンバ１０及びノズル１１を介して被検眼角膜Ｃに対し噴射される。
なお、チャンバ１０には、チャンバ１０内の気圧の変化を検出するチャンバ内圧センサ１６が設定されている。
【００１８】
［前眼部観察系］
前記前眼部観察系２は、図１及び図２に示すように、被検眼Ｅの前眼部に対しダイレクトに観察光を照射する複数の前眼部照明用光源２０，２０が計器ケース２１に設けられる。そして、前眼部観察光軸２Ｌ（＝ノズル軸）上には、被検眼角膜Ｃから順に、ノズル１１と、前眼部窓ガラス１２と、チャンバ窓ガラス１３と、第１ハーフミラー２２と、第２ハーフミラー２３と、対物レンズ２４と、ＣＣＤ２５（Charge Coupled Devices）と、を備えている。
【００１９】
前眼部照明光源２０，２０によって照明された被検眼Ｅの前眼部像は、ノズル１１の内外を通り、前眼部窓ガラス１２、チャンバ窓ガラス１３、第１ハーフミラー２２、第２ハーフミラー２３を透過し、対物レンズ２４により集束され、電荷結合素子であるＣＣＤ２５上にて撮像される。このＣＣＤ２５は、図外のモニタに接続されるイメージセンサであり、測定者が観察できる位置に設定したモニタ画面上に被検眼Ｅの前眼部像を映し出す。なお、モニタ画面には、ＸＹアライメント指標光である輝点像も併せて映し出される。
【００２０】
［ＸＹアライメント・固視標投影系］
前記ＸＹアライメント・固視標投影系３は、図２に示すように、赤外光を出射するＸＹアライメント用光源３０と、コンデンサレンズ３１と、開口絞り３２と、ピンホール板３３と、可視光を出射する固視標用光源３４と、ピンホール板３５と、ピンホール板３３，３５に焦点を一致させるように光路上に配置されたダイクロイックミラー３６と、コリメータレンズ３７と、を備えている。なお、「ダイクロイックミラー」とは、特殊な光学素材を用いて作成された鏡の一種で、特定の波長の光を反射し、その他の波長の光を透過するものをいう。
【００２１】
ＸＹアライメント用光源３０から出射された赤外光は、コンデンサレンズ３１により集束され、開口絞り３２を通過し、ピンホール板３３に導かれる。そして、ピンホール板３３を通過した光束は、ダイクロイックミラー３６で反射され、コリメータレンズ３７によって平行光束となって第１ハーフミラー２２で反射された後に、チャンバ窓ガラス１３を透過してノズル１１の内部を通過し、ＸＹアライメント指標光を形成する。また、ＸＹアライメント指標光は、被検眼角膜Ｃの頂点と被検眼角膜Ｃの曲率中心との中間位置に輝点像を形成するようにして角膜表面で反射される。なお、開口絞り３２は、コリメータレンズ３７に関して角膜頂点と共役な位置に設けられている。
【００２２】
固視標用光源３４から出射された固視標光は、ピンホール板３５、ダイクロイックミラー３６を経て、コリメータレンズ３７により平行光とされ、第１ハーフミラー２２で反射された後に、チャンバ窓ガラス１３を透過し、ノズル１１の内部を通過して被検眼Ｅに導かれる。被検者は、眼圧測定時、この固視標光を固視目標として注視することにより視線が固定され、被検眼Ｅの動きが抑えられる。
【００２３】
［ＸＹアライメント受光系］
前記ＸＹアライメント受光系４は、計器ケース２１と被検眼角膜Ｃの偏芯を検出する光学系であり、図１に示すように、結像レンズ４０と、反射ミラー４１と、ＸＹアライメント受光センサ４２と、を有する。なお、ＸＹアライメント受光センサ４２としては、ＰＳＤセンサが用いられる。
【００２４】
ここで、「ＰＳＤセンサ」とは、ＰＳＤ（Position Sensitive Detector：半導体位置検出素子）を用い、スポット状の光の位置を検出できる光センサである。基本的にはフォトダイオードのように１つの接合面を持つＰＩＮ構造となっているが、その面積が非常に大きく、１mm×１２mmとか１０mm×１０mmのような大きさを持っている。その半導体面上に光のスポットを与えると電荷が発生し、発生した電荷は両端の電極に到達し、到達した電荷の量は、スポット光の位置から電極までの距離に反比例する。よって、電極から取り出した電流は、必要な計算を行うことにより、スポット光の位置に比例したデータとして使用することができる。なお、半導体面と電極の構造により一次元ＰＳＤセンサと二次元ＰＳＤセンサがある。ＰＳＤセンサは、上記のように非常にシンプルな動作によるものであるため、応答性が非常に速く、信頼性の高い位置認識ができる。また、分解能が非常に高いので、高い位置検出精度も持つ。
【００２５】
ＸＹアライメント・固視標投影系３により被検眼角膜Ｃに投影され、角膜表面で反射された反射光束は、ノズル１１の内部を通りチャンバ窓ガラス１３、第１ハーフミラー２２を透過し、第２ハーフミラー２３でその一部が反射される。第２ハーフミラー２３で反射された光束は、結像レンズ４０により輝点が結像され、反射ミラー４１にて反射され、ＸＹアライメント受光センサ４２上に輝点像を形成する。
【００２６】
［Ｚアライメント・圧平検出投影系］
前記Ｚアライメント・圧平検出投影系５は、図１に示すように、赤外光を出射する共有光源５０と被検眼角膜Ｃとを結ぶ投影光軸５Ｌ上に、コンデンサレンズ５１と、照明絞り５２と、ピンホール板５３と、コリメータレンズ５４と、を有する。なお、前記共有光源５０としては、ＬＥＤ（発光ダイオード）が用いられる。
【００２７】
共有光源５０を出射した赤外光は、コンデンサレンズ５１により集光され、照明絞り５２を通過してピンホール板５３に導かれる。ピンホール板５３を通過した光束は、コリメータレンズ５１によって平行光束とされ、被検眼角膜Ｃに導かれる。被検眼角膜Ｃに導かれたＺアライメントを検出するためのスリット光束と圧平を検出するための円形光束との組み合わせ光束は、角膜表面において反射される。なお、照明絞り５２は、コリメータレンズ５１に関して角膜頂点と共役な位置に配置されている。
【００２８】
［Ｚアライメント・圧平検出受光系］
前記Ｚアライメント・圧平検出受光系６は、計器ケース２１と被検眼角膜Ｃの距離（ワーキングディスタンス）を検出するＺアライメント受光系と、被検眼角膜Ｃの形状変化を光量の変化として検出する圧平検出受光系を共有する光学系である。
【００２９】
このＺアライメント・圧平検出受光系６は、図１に示すように、被検眼角膜Ｃからの反射光軸６Ｌ上に、コンデンサレンズ６０と、ハーフミラー６１を有し、ハーフミラー６１にて反射する光束による光軸上に、結像レンズ６２と、Ｚアライメント受光センサ６３と、を有し、ハーフミラー６１にて透過する光束上に、結像レンズ６４と、圧平検出受光センサ６５と、を有する。なお、Ｚアライメント受光センサ６３としては、ＸＹアライメント受光センサ４２と同様に、ＰＳＤセンサが用いられる。
【００３０】
被検眼角膜Ｃの角膜表面において反射された光束は、コンデンサレンズ６０にて集光され、ハーフミラー６１にて反射した後、結像レンズ６２を介してＺアライメント受光センサ６３上に輝点像を形成する。被検眼角膜Ｃの角膜表面において反射された光束は、コンデンサレンズ６０にて集光され、ハーフミラー６１を透過した後、結像レンズ６４を介して圧平検出受光センサ６５上に被検眼角膜Ｃの圧平程度によって変化する光量による輝点像を形成する。
なお、ハーフミラー６１は、被検眼角膜Ｃの角膜表面において反射された光束のうち、例えば、半分の光量を反射し、残りの半分の光量を透過する。
【００３１】
ここで、実施例１の非接触型眼圧計は、アライメント調整時、ＸＹアライメント受光センサ４２とＺアライメント受光センサ６３からの検出信号を基に、図外のＸ方向とＹ方向とＺ方向に計器ケース２１を動作させるモータを駆動制御し、被検眼角膜Ｃの計器ケース２１に対するＸ方向とＹ方向とＺ方向の位置関係を正規位置（共有光源５０からの光束が被検眼角膜Ｃの角膜表面中心部にて反射する位置）に調整するアライメント自動制御回路を有する。すなわち、実施例１の非接触型眼圧計は、自動的にアライメント調整を行うオートアライメント眼圧計としている。
【００３２】
図３は実施例１の非接触型眼圧計のＺアライメント・圧平検出投影系５の照明絞り５２を示す拡大正面図である。以下、照明絞り５２の具体的な構成を説明する。
【００３３】
共有光源５０からの光束は、コンデンサレンズ５１を介してピンホール板５３を照明する。ピンホール板５３を通過した光束は、コリメータレンズ５４により平行光となって被検眼角膜Ｃを照明する。コンデンサレンズ５１とピンホール板５３の間には、光学系の明るさを決定する照明絞り５２を配置するが、この照明絞り５２は、被検眼角膜Ｃと略共役となる位置に配置される。したがって、被検眼角膜Ｃ上の照明範囲は、この照明絞り５２の大きさと形状によって決まる。
【００３４】
一方、Ｚアライメント投影系において、被検眼ＥがＺ方向（前後方向または縦方向）に移動した場合、被検眼角膜Ｃ上の有効な照明範囲は、Ｘ方向（左右方向または横方向）に移動し、Ｙ方向（上下方向または垂直方向）には移動しない。したがって、横方向に広い照明範囲が要求される。
また、圧平検出投影系の場合、照明の形状は円形が望ましく、面積自体は規定の大きさにできるだけ近いものが望ましい。
双方の条件を満たすために、被検眼角膜Ｃを照明する光束を、角膜照明のための円形状光束領域部と、該円形状光束領域部から両側へ延びる距離検出のためのスリット状光束領域部を併せ持つ形状に規定した（光束形状規定手段）。
【００３５】
被検眼角膜Ｃを照明する光束の形状規定は、照明絞り５２の絞り穴の形状により行うもので、照明絞り５２は、図３に示すように、角膜照明のための円形状光束を作り出す中央位置の円形状穴部５２ａと、距離検出のためのスリット状光束を作り出す左右位置のスリット形状穴部５２ｂ，５２ｃを有する。つまり、圧平の計測に必要な円形の照明野に、Ｚアライメントの検出範囲をカバーする横長のスリットの照明範囲を組み合わせた照明絞り５２としている。
【００３６】
ここで、照明絞り５２の絞り穴の穴加工は、エッチング処理によるものであり、円形状穴部５２ａは、例えば、直径1.5mmとし、スリット形状穴部５２ｂ，５２ｃのスリット幅は、例えば、0.2mmとしている。このように、スリット形状穴部５２ｂ，５２ｃのスリット幅が狭ければ面積の増加は最小限に抑えることができ、圧平波形の崩れも僅かとなり、測定への影響は問題無い範囲に抑えることができる。Ｚアライメントの範囲に関しては、有効な光束が円形状穴部５２ａからスリット形状穴部５２ｂ，５２ｃに移動すると、Ｚアライメント受光センサ６３に入射する光量は少なくなるが、位置を求めるのに充分とされる光量しきい値より高い光量を確保できれば良い（図７参照）。なお、共有光源５０は、図３に示すように、円形状穴部５２ａの中央位置に設定される。
【００３７】
次に、非接触型眼圧計技術について説明する。
非接触型眼圧計は、ノズルから空気を噴射して被検眼角膜を圧平し、角膜が一定の形状に変形したときのチャンバ内部の圧力から被検眼の眼圧値を測定する。
この非接触型眼圧計において、光投影系の削減を図り、光学系構成を簡素にするため、アライメント投影系と圧平検出投影系で共有光源を採用する場合、照明絞りとして、(1)円形による固定絞り構造を用いる案、(2)絞り形状の切り替えによる可変絞り構造を用いる案が考えられる。
【００３８】
(1)の円形による固定絞り構造を用いた場合
圧平波形を左右対称の波形として取得するには、被検眼角膜に照射する光束径を細くした方が良い。しかし、光束径を細くすると、逆にＸＹアライメント受光センサやＺアライメント受光センサの検出範囲は狭くなってしまうという関係にある。
このため、アライメントのための照明範囲拡大と、眼圧値測定精度の確保とは、相反するトレードオフの関係となり、両立しない。
【００３９】
(2)の絞り形状の切り替えによる可変絞り構造を用いた場合
非接触型眼圧計で眼圧を測定する場合、被検眼に固視標を視認させて被検眼を所定の位置に固定している。しかし、実際には、被検眼が固視微動等により絶えず動いているため、アライメント調整が完了した後、即座に空気を被検眼角膜に吹き付けて測定しなければならない。
このため、絞り形状を変える可変絞り構造を用いた場合、アライメント調整が完了した後、可変絞りが所定の大きさに絞られるまでの動作時間や絞りの切り替えのための動作時間を待たなければならず、その間に被検眼が動いて眼圧を測定できない。
【００４０】
さらに、測定者がモニタ上の画像を見ながら手動にてアライメント調整する眼圧計の場合は、検出範囲はそれほど広い範囲とする必要が無いが、自動的にアライメント調整を行うオートアライメント眼圧計が知られるに至り、手作業による面倒なアライメント調整作業を省略できることから、次第に普及する傾向にある。このオートアライメント眼圧計の場合、アライメント調整範囲をできる限り広くする必要があり、照明範囲が大きい方が望ましい。
【００４１】
一方、圧平を検出するための照明範囲は、必要以上に大きくすると、圧平波形の幅が広く非対称波形となるため、眼圧値を求める重心計算での誤差が大きくなる。つまり、圧平を検出するための照明範囲は、できる限り狭い方が望ましい。
【００４２】
このような要求に対し、本発明者は、二次元座標系であるＸＹアライメントと異なり、Ｚアライメントは一次元座標系であり、被検眼がＺ方向に移動した場合、被検眼角膜上の有効な照明範囲は、Ｘ方向のみに移動し、Ｙ方向には移動しない点に着目した。
【００４３】
この着目点にしたがって、光投影系の削減を図りつつ、圧平による眼圧値測定精度の確保とＺアライメント範囲の確保との両立を図るため、圧平の計測に必要な円形の照明野に、Ｚアライメントの検出範囲をカバーする横長のスリットの照明範囲を組み合わせた照明絞りとする構成を採用した。
【００４４】
次に、作用を説明する。
以下、実施例１の非接触型眼圧計における作用を、「眼圧測定作用」、「眼圧値測定精度の確保作用」、「Ｚアライメント調整範囲の拡大作用」に分けて説明する。
【００４５】
［眼圧測定作用］
実施例１の非接触型眼圧計による眼圧の測定は、概ね以下の通りである。
被検者は、額当てと顎受けにより顔を固定し、被検眼Ｅにより固視標投影系による輝点を注視する。この状態で、非接触型眼圧計は、ＸＹアライメント系のＸＹアライメント受光センサ４２、Ｚアライメント系のＺアライメント受光センサ６３からのセンサ信号に基づき、被検眼Ｅに対し自動的にアライメント調整を行う。
【００４６】
そして、ＸＹＺ全てのアライメントの合致が確認されると、ソレノイドを駆動し、被検眼角膜Ｃにノズル１１から空気を噴射する。この際、圧平検出系の圧平検出受光センサ６５に入射する光量と、チャンバ内圧センサによる内部気圧の時間的な変化を記憶する。
【００４７】
圧平検出系は、被検眼角膜Ｃが平面に圧平した際に圧平検出受光センサ６５に入射する光量が最大になるように構成されている。このため、被検眼角膜Ｃに空気を噴射すると、図４の実線特性に示すように、被検眼角膜Ｃの圧平にしたがって圧平検出受光センサ６５に入射する光量は増加し、平面になった時間tpのときに最大となる。さらに、圧平が進み、被検眼角膜Ｃが凹面になると、再び光量は減少する。
【００４８】
したがって、時間的に変化する光量の重心位置（時間tpの位置）を検出し、このときのチャンバ内圧値Pcを求める。ここで、チャンバ１０の内圧と被検眼角膜Ｃに噴射している空気の圧力には一定の相関関係があるため、チャンバ内圧値Pcから被検眼眼圧値を得ることができる。
【００４９】
［眼圧値測定精度の確保作用］
上記のように、圧平検出系は、被検眼角膜Ｃの圧平にしたがって圧平検出受光センサ６５に入射する光量が変化（増加→最大→減少）するように構成されている。
【００５０】
そこで、例えば、照明絞り５２の中央位置の円形状穴部５２ａの形状を、図３に示す圧平に最適な面積よりも広い面積に設定した場合を想定する。この場合、被検眼角膜Ｃの圧平にしたがって圧平検出受光センサ６５に入射する光量は増加し、平面になった時間tpのときに最大となる（図４の実線特性とほぼ一致する特性）。さらに、圧平が進み、被検眼角膜Ｃが凹面になると、再び光量は減少するものの、図４の点線特性に示すように、圧平検出受光センサ６５に入射する光量が、円形状穴部の径拡大により周辺部の角膜変形による反射光まで受光することにより増加し、光量の減少勾配が緩やかになる。
【００５１】
したがって、図４の点線特性による時間的に変化する光量の重心位置（時間tp'の位置）を検出し、このときのチャンバ内圧値Pc'を求めると、図４の実線特性によるチャンバ内圧値PcよりもΔPだけ大きくなり、チャンバ内圧値に基づいて取得される被検眼眼圧値に誤差が生じる。
【００５２】
これに対し、実施例１では、照明絞り５２の中央位置の円形状穴部５２ａの形状を、図３に示す圧平に最適な面積に設定したため、図４の実線特性に示すように、単一の鋭いピークを持つ適正な照明範囲の時の圧平波形が得られる。したがって、時間的に変化する光量の重心位置（時間tpの位置）が、光量のピーク位置とほぼ一致し、高い眼圧値測定精度が確保される。
【００５３】
［Ｚアライメント調整範囲の拡大作用］
被検眼角膜Ｃと計器の距離であるワーキングディスタンスは、Ｚアライメント系により以下のように求めることができる。
【００５４】
共有光源５０からの光束は、コリメータレンズ５４により平行光束として、被検眼Ｅを斜めから照明する。被検眼角膜Ｃで反射した光束は、レンズ系を介してＺアライメント受光センサ６３へ到達する。平行光として被検眼角膜Ｃに入射した光束は、被検眼角膜Ｃにより反射し、被検眼角膜Ｃの曲率半径の中間（r/2）の位置に虚像、すなわち、プルキンエ像を生じる。ここで、「プルキンエ像」とは、眼球の外部にある光源が角膜を鏡として映されて眼球内にあるように見える輝点像のことである。
【００５５】
Ｚアライメント受光系のＺアライメント受光センサ６３は、このプルキンエ像と略共役な位置に配置されている。したがって、被検眼角膜Ｃに入射する光束は、図５に示すように、角度θを有しているため、被検眼角膜Ｃと計器の距離が、アライメントＯＫ位置から変化すると、Ｚアライメント受光センサ６３上の輝点は横方向に移動する。
すなわち、被検眼角膜Ｃと計器（例えば、ノズル１１）の距離が、アライメントＯＫ位置（dZ＝０の位置：例えば、ノズル１１から11mm離れた位置）から距離dZだけ近い位置に変化すると、図６に示すように、Ｚアライメント受光センサ６３上では、共有光源５０による輝点が円形状穴部５２ａの位置からスリット形状穴部５２ｂへと横方向に移動する。一方、被検眼角膜Ｃと計器（ノズル１１）の距離が、アライメントＯＫ位置から距離dZだけ遠い位置に変化すると、Ｚアライメント受光センサ６３上では、光源５０による輝点が円形状穴部５２ａからスリット形状穴部５２ｃへと横方向に移動する。
【００５６】
このため、輝点の移動量により、被検眼角膜の基準位置から軸方向（空気噴射方向）への移動距離（ワーキングディスタンス）を検出することができる。なお、輝点の移動は、被検眼が空気噴射軸と直交する面内（ＸＹ平面内）で移動をしても起こるため、ＸＹアライメント系で得られる情報からワーキングディスタンスを補正するか、ＸＹ面内でのずれがなくなるようにＸＹアライメント調整が完了した後、ワーキングディスタンスを検出してＺ方向のＺアライメント調整を行う。
【００５７】
図７は被検眼角膜Ｃの移動によるＺアライメント受光センサ６３の光量変化の比較特性を示す図である。なお、圧平検出受光センサ６５での光量変化特性も同様である。
【００５８】
まず、照明絞りの絞り穴として、角膜照明と距離検出のための大径による円形状光束を作り出す大円形状穴部を有し、この大円形状穴部の中央部に光源が配置されているＺアライメント範囲を優先した例を比較例１とする。この比較例１の場合、図７の点線特性に示すように、Ｚアライメント正規位置（dZ＝０）前後の広い移動量範囲で光量しきい値より遙かに高い光量により台形状に変化する特性を示し、Ｚアライメント範囲の拡大を達成できる。しかし、眼圧測定時、漏れ光量が多くなり、単一の鋭いピークを持つような圧平波形を得ることができず、眼圧測定精度が劣る。
【００５９】
次に、照明絞りの絞り穴として、角膜照明と距離検出のための円形状光束を作り出す円形状穴部のみを有し、この円形状穴部の中央部に光源が配置されている圧平計測を優先した例を比較例２とする。この比較例２の場合、図７の破線特性に示すように、Ｚアライメント正規位置（dZ＝０）前後の狭い移動量範囲で光量しきい値より遙かに高い光量により台形状に変化する特性を示し、眼圧測定時、単一の鋭いピークを持つ適正な照明範囲の時の圧平波形を得ることができ、高い眼圧測定精度を達成できる。しかし、Ｚアライメント範囲は、図７の破線特性と光量しきい値とが交わる２つの点による狭い範囲（＝従来のアライメント範囲）となり、Ｚアライメント範囲が狭く、オートアライメント眼圧計に適さない。
【００６０】
これに対し、実施例１のように、照明絞り５２の絞り穴は、図３に示すように、角膜照明のための円形状光束を作り出す中央位置の円形状穴部５２ａと、距離検出のためのスリット状光束を作り出す左右位置のスリット形状穴部５２ｂ，５２ｃを有する。そして、共有光源５０を円形状穴部５２ａの中央位置に設定した。
【００６１】
このため、図７の実線特性に示すように、Ｚアライメント正規位置（dZ＝０）前後の狭い移動量範囲で光量しきい値より遙かに高い光量を示す台形状特性部と、Ｚアライメント正規位置（dZ＝０）前後の広い移動量範囲で光量しきい値より少し高い光量を示す台形状特性部の組み合わせ特性となる。
【００６２】
したがって、眼圧測定時、単一の鋭いピークを持つ適正な照明範囲の時の圧平波形を得ることができ、高い眼圧測定精度を確保することができる。特に、スリット形状穴部５２ｂ，５２ｃのスリット幅を狭く設定しているため、円形状穴部５２ａに対する開口面積の増加は最小限に抑えることができ、圧平波形の崩れも僅かとなり、測定への影響は問題無い範囲に抑えることができる。
【００６３】
併せて、Ｚアライメント範囲は、図７の実線特性と光量しきい値とが交わる２つの点による広い範囲（＝今回のアライメント範囲）となり、Ｚアライメント範囲が広く、自動的にアライメント調整するオートアライメント眼圧計に適したものとなる。このＺアライメントの範囲に関しては、有効な光束が円形状穴部５２ａからスリット形状穴部５２ｂ，５２ｃに移動すると、Ｚアライメント受光センサ６３に入射する光量は少なくなるが、位置を求めるのに充分な光量しきい値より高い光量が確保されている範囲は、Ｚアライメントの調整範囲として使うことができる。
【００６４】
次に、効果を説明する。
実施例１の非接触型眼圧計にあっては、下記に列挙する効果を得ることができる。
【００６５】
(1) 被検眼角膜Ｃに空気を吹き付け、その際の被検眼角膜Ｃの変形状態を反射する光量の変化として検出し、被検眼眼球の眼圧値を計測する非接触型眼圧計において、前記眼圧値を計測するために被検眼角膜Ｃを照明する光源と、計器と被検眼Ｅの距離を検出するために被検眼Ｅを照明する光源を共有する共有光源５０と、前記共有光源５０から被検眼Ｅへ向かう光路上に設定し、被検眼角膜Ｃを照明する光束を、横長の非円形状に規定する光束形状規定手段と、を備えたため、コンパクトで比較的簡単な光学系としながら、圧平による眼圧値測定精度の確保とＺアライメント範囲の確保との両立を図ることができる。
【００６６】
(2) 前記光束形状規定手段は、被検眼角膜Ｃを照明する光束を、角膜照明のための円形状光束領域部と、該円形状光束領域部から両側へ延びる距離検出のためのスリット状光束領域部を併せ持つ形状に規定するため、ピークを持つ圧平波形により高い眼圧値測定精度を確保できると共に、眼圧値測定精度を低下させることなく、Ｚアライメントの調整範囲を拡大することができる。
【００６７】
(3) 前記共有光源５０から被検眼角膜Ｃまでの間に、コンデンサレンズ５１、照明絞り５２、ピンホール板５３、コリメータレンズ５４を配置し、ピンホール板５３を通過した光束を、コリメータレンズ５４により平行光として被検眼角膜Ｃを照明するＺアライメント・圧平検出投影系５を設け、前記光束形状規定手段は、コンデンサレンズ５１とピンホール板５３の間の位置であって、被検眼角膜Ｃとは略共役の位置に配置される前記照明絞り５２の絞り穴の形状により規定するため、照明絞り５２の絞り穴の形状の決定という容易な手法により、被検眼角膜Ｃを照明する光束形状を所望の形状に規定することができる。
【００６８】
(4) 前記照明絞り５２の絞り穴は、角膜照明のための円形状光束を作り出す中央位置の円形状穴部５２ａと、距離検出のためのスリット状光束を作り出す左右位置のスリット形状穴部５２ｂ，５２ｃを有し、前記共有光源５０は、前記絞り穴５２の円形状穴部５２ａの中央位置に設定したため、鋭いピークを持つ単一の圧平波形により眼圧値測定精度の向上を図ることができると共に、圧平波形の崩れを最小限に抑えながら、Ｚアライメントの調整範囲を大幅に拡大することができる。
【００６９】
(5) 前記被検眼角膜Ｃに対して斜め方向から角度θを有して入射する光束を被検眼角膜Ｃで反射した後、レンズ系を介して受光するＺアライメント受光センサ６３と圧平検出受光センサ６５を有するＺアライメント・圧平検出受光系６を設け、前記光束形状規定手段は、被検眼角膜Ｃの計器に対する移動量と前記Ｚアライメント・圧平検出受光系６で受光する光量の変化特性として、Ｚアライメントの検出が可能な光量下限値を光量しきい値と定義したとき、Ｚアライメント正規位置前後の狭い移動量範囲で光量しきい値より遙かに高い光量を示す台形状特性部と、Ｚアライメント正規位置前後の広い移動量範囲で光量しきい値より少し高い光量を示す台形状特性部との組み合わせ特性を得るように被検眼角膜Ｃを照明する光束形状を規定するため、適切な検出光量変化による圧平波形に基づき精度の高い眼圧値測定を行うことができると共に、Ｚアライメントの位置を求めるのに充分な検出光量によりＺアライメントの調整範囲の拡大を図ることができる。
【００７０】
(6) 前記Ｚアライメント受光センサ６３は、スポット状の光の位置を検出する半導体位置検出素子によるＰＳＤセンサであるため、検出光量に多少の変化があっても正確にＺアライメント位置を検出することができる。
【００７１】
以上、本発明の非接触型眼圧計を実施例１に基づき説明してきたが、具体的な構成については、この実施例１に限られるものではなく、特許請求の範囲の各請求項に係る発明の要旨を逸脱しない限り、設計の変更や追加等は許容される。
【００７２】
実施例１では、光束形状規定手段として、照明絞り５２の絞り穴の形状により光束を規定する例を示したが、Ｚアライメント・圧平検出投影系において、例えば、照明絞りにより光学系の明るさのみを決定し、コリメータレンズによる平行光の光束形状を規定する光束形状規定手段を別に設けるような例としても良い。
【００７３】
実施例１では、照明絞り５２の絞り穴として、角膜照明のための円形状光束を作り出す中央位置の円形状穴部５２ａと、距離検出のためのスリット状光束を作り出す左右位置のスリット形状穴部５２ｂ，５２ｃを有する例を示した。しかし、例えば、図８に示すように、円形状穴部５２ａ’とスリット形状穴部５２ｂ’，５２ｃ’をなだらかな曲線にて結ぶ変形例としても良いし、また、図９に示すように、円形状穴部５２ａ”とスリット形状穴部５２ｂ”，５２ｃ”を、狭い接続部を介して独立に有する変形例としても良い。要するに、図７の実線特性に示すような被検眼角膜の移動による受光センサの光量変化特性を示す形状であれば、具体的な絞り穴の形状は、実施例１に限られることはない。
【産業上の利用可能性】
【００７４】
実施例１では、ＸＹＺ全てのアライメント調整を自動的に行う非接触型眼圧計の例を示したが、ＸＹアライメント調整とＺアライメント調整の一方のみを自動的に行う非接触型眼圧計に対しても適用することができるし、ＸＹＺ全てのアライメント調整を手動にて行う非接触型眼圧計に対しても適用することができる。要するに、被検眼角膜に空気を吹き付け、その際の被検眼角膜の変形状態を反射する光量の変化として検出し、被検眼眼球の眼圧値を計測する非接触型眼圧計であれば適用できる。
【図面の簡単な説明】
【００７５】
【図１】実施例１の非接触型眼圧計の光学系を示す平面配置図である。
【図２】実施例１の非接触型眼圧計の光学系を示す側面配置図である。
【図３】実施例１の非接触型眼圧計のＺアライメント・圧平検出投影系５の照明絞り５２を示す拡大正面図である。
【図４】実施例１の非接触型眼圧計による眼圧測定時における圧平による光量変化とチャンバ内圧変化の各特性を示す図である。
【図５】被検眼角膜のＺ方向への移動時におけるＺアライメントに必要な照明範囲と圧平に最適な照明範囲を示す平面図である。
【図６】被検眼角膜とノズルとの距離が最適な場合と近い場合と遠い場合の光源による輝点の横方向移動を示す説明図である。
【図７】比較例１と比較例２と実施例１における被検眼角膜の移動によるＺアライメント受光センサの光量変化特性を示す比較特性図である。
【図８】照明絞りの絞り穴形状の変形例１を示す正面図である。
【図９】照明絞りの絞り穴形状の変形例２を示す正面図である。
【符号の説明】
【００７６】
Ｅ  被検眼
Ｃ  被検眼角膜
１  圧縮空気噴射構造
１０  チャンバ
１１  ノズル
１２  前眼部窓ガラス
１３  チャンバ窓ガラス
１４  シリンダ
１５  ピストン
１６  チャンバ内圧センサ
２  前眼部観察系
３  ＸＹアライメント・固視標投影系
４  ＸＹアライメント受光系
５  Ｚアライメント・圧平検出投影系
５Ｌ  光軸
５０  共有光源
５１  コンデンサレンズ
５２  照明絞り
５２ａ  円形状穴部
５２ｂ  スリット形状穴部
５３  ピンホール板
５４  コリメータレンズ
６  Ｚアライメント・圧平検出受光系
６Ｌ  反射光軸
６０  コンデンサレンズ
６１  ハーフミラー
６２  結像レンズ
６３  Ｚアライメント受光センサ
６４  結像レンズ
６５  圧平検出受光センサ
【図１】
2009028287.tif 000003
【図２】
2009028287.tif 000004
【図３】
2009028287.tif 000005
【図４】
2009028287.tif 000006
【図５】
2009028287.tif 000007
【図６】
2009028287.tif 000008
【図７】
2009028287.tif 000009
【図８】
2009028287.tif 000010
【図９】
2009028287.tif 000011